(57)【要約】【課題】被削材の下孔に加工される内歯車形状等の所定形状において、溝加工及び内周加工の同軸度を精度よく確保して加工品位を高めることができ、種々様々な被削材に容易に対応可能なこと。【解決手段】複数の切れ刃３には、被削材の下孔に溝加工を施すスプライン刃群１１と、スプライン刃群１１よりも工具送り方向Ｄの後方に配置され下孔に内周加工を施す丸刃群１２と、が備えられ、丸刃群１２には、下孔の内周に切り込む切れ刃部１７と、切れ刃部１７の工具送り方向Ｄの後方に隣り合って配置され該切れ刃部１７の高さと同一の高さとされたガイド部１８と、からなる組刃１５Ａ、１５Ｂが複数設けられ、軸線Ｏ方向に隣り合う組刃１５Ａ、１５Ｂ同士のうち、一の組刃１５Ａの切れ刃部１７及びガイド部１８の高さＨａに対して、該一の組刃１５Ａの工具送り方向Ｄの後方に位置する他の組刃１５Ｂの切れ刃部１７及びガイド部１８の高さＨｂが大きくされている。【選択図】図５
2014140949.tif 000002
【特許請求の範囲】
【請求項１】
軸状をなすブローチ本体と、
前記ブローチ本体の外周に該ブローチ本体の軸線方向に間隔をあけて配列された複数の切れ刃と、を備え、
被削材に形成された下孔に前記ブローチ本体を前記軸線方向に沿う工具送り方向に向けて挿入するとともに、前記複数の切れ刃により前記下孔を溝加工及び内周加工して所定形状に切削加工するブローチであって、
前記複数の切れ刃には、
前記下孔に溝加工を施すスプライン刃群と、
前記スプライン刃群よりも前記工具送り方向の後方に配置され、前記下孔に内周加工を施す丸刃群と、が備えられ、
前記丸刃群には、
前記下孔の内周に切り込む切れ刃部と、
前記切れ刃部の前記工具送り方向の後方に隣り合って配置され、該切れ刃部の前記軸線方向に直交する径方向の高さと同一の前記高さとされたガイド部と、からなる組刃が前記軸線方向に沿って複数設けられており、
前記軸線方向に隣り合う前記組刃同士のうち、一の組刃における前記切れ刃部及び前記ガイド部の高さに対して、該一の組刃の前記工具送り方向の後方に位置する他の組刃における前記切れ刃部及び前記ガイド部の高さが大きくされていることを特徴とするブローチ。
【請求項２】
請求項１に記載のブローチであって、
前記組刃を構成する前記切れ刃部と前記ガイド部とが、互いに離間して形成されていることを特徴とするブローチ。
【請求項３】
請求項２に記載のブローチであって、
前記切れ刃部及び前記ガイド部が、それぞれ丸刃で形成されていることを特徴とするブローチ。
【請求項４】
請求項１〜３のいずれか一項に記載のブローチであって、
前記組刃には、前記切れ刃部と前記ガイド部とが１つずつ設けられることを特徴とするブローチ。
【請求項５】
請求項１〜３のいずれか一項に記載のブローチであって、
前記組刃には、１つの前記切れ刃部と、該切れ刃部の前記工具送り方向の後方に配列する複数の前記ガイド部と、が設けられることを特徴とするブローチ。
【請求項６】
請求項１に記載のブローチであって、
前記組刃を構成する前記切れ刃部及び前記ガイド部が、一体に形成されていることを特徴とするブローチ。
【発明の詳細な説明】
【技術分野】
【０００１】
本発明は、被削材に形成された下孔に、ブローチ本体とともに複数の切れ刃が順に挿入されて、前記下孔を溝加工及び内周加工して内歯車形状等の所定形状に形成するブローチに関するものである。
【背景技術】
【０００２】
従来、この種のブローチとしては、例えば下記特許文献１に示されるような、軸状をなすブローチ本体と、前記ブローチ本体の外周に該ブローチ本体の軸線方向に間隔をあけて配列された複数の切れ刃と、を備え、被削材に形成された下孔に前記ブローチ本体を前記軸線方向に沿う工具送り方向に向けて挿入するとともに、前記複数の切れ刃により前記下孔を溝加工及び内周加工して内歯車形状に切削加工するものが知られている。また、前記複数の切れ刃には、前記下孔に溝加工を施すスプライン刃群と、前記下孔に内周加工を施す丸刃群と、が備えられており、後丸刃付きブローチの場合、丸刃群がスプライン刃群よりも工具送り方向の後方に配置されている。
【先行技術文献】
【特許文献】
【０００３】
【特許文献１】実公平６−１１７０４号公報
【発明の概要】
【発明が解決しようとする課題】
【０００４】
しかしながら、従来のブローチにおいては、下記の課題を有していた。
上述した後丸刃付きブローチにおいては、スプライン刃群が下孔を溝加工した後、続く丸刃群が、下孔に内周加工を施すこととなる。ここで、スプライン刃群により溝加工が施される際には、スプライン刃の刃部が被削材によりガイドされて、下孔の中心軸に対してブローチ本体の軸線が偏心しにくくなっている。一方、丸刃群により内周加工が施される際には、丸刃が被削材にガイドされにくく、下孔の中心軸に対してブローチ本体の軸線が偏心しやすかった。
【０００５】
すなわち、例えば加工後の内歯車形状において、スプライン刃群により溝加工された歯部（歯溝）と、丸刃群により内周加工された小径部とが芯ずれするおそれがあった。具体的に、被削材の軸線方向を向く端面に対して小径部の直角度が確保できなくなるなどして、内歯車形状における歯部と小径部との同軸度が確保できなくなるおそれがあった。
【０００６】
一方、上記後丸刃付きブローチ以外のブローチとして、スプライン刃と丸刃とが交互に配列された、交互丸刃付きブローチが知られている。交互丸刃付きブローチを用いた場合、内歯車形状における歯部と小径部とが交互に切削加工されるため、これらの歯部と小径部とを高精度に芯合わせしやすくなる。
しかしながら、このような交互丸刃付きブローチは、軸線方向に隣り合う同一種類の切れ刃同士（スプライン刃同士、或いは丸刃同士）の間隔が広くなり、特に被削材の軸線方向に沿う長さが短い（つまり被削材の厚さが薄い）場合には、スプライン刃同士又は丸刃同士を複数ずつ同時に下孔に切り込ませることができず、この場合、やはり芯ずれの問題が生じることから、被削材によって使用が制限される。
【０００７】
本発明は、このような事情に鑑みてなされたものであって、被削材の下孔に加工される内歯車形状等の所定形状において、溝加工及び内周加工の同軸度を精度よく確保して加工品位を高めることができ、かつ、種々様々な被削材に容易に対応可能なブローチを提供することを目的としている。
【課題を解決するための手段】
【０００８】
このような課題を解決して、前記目的を達成するために、本発明は以下の手段を提案している。
すなわち、本発明は、軸状をなすブローチ本体と、前記ブローチ本体の外周に該ブローチ本体の軸線方向に間隔をあけて配列された複数の切れ刃と、を備え、被削材に形成された下孔に前記ブローチ本体を前記軸線方向に沿う工具送り方向に向けて挿入するとともに、前記複数の切れ刃により前記下孔を溝加工及び内周加工して所定形状に切削加工するブローチであって、前記複数の切れ刃には、前記下孔に溝加工を施すスプライン刃群と、前記スプライン刃群よりも前記工具送り方向の後方に配置され、前記下孔に内周加工を施す丸刃群と、が備えられ、前記丸刃群には、前記下孔の内周に切り込む切れ刃部と、前記切れ刃部の前記工具送り方向の後方に隣り合って配置され、該切れ刃部の前記軸線方向に直交する径方向の高さと同一の前記高さとされたガイド部と、からなる組刃が前記軸線方向に沿って複数設けられており、前記軸線方向に隣り合う前記組刃同士のうち、一の組刃における前記切れ刃部及び前記ガイド部の高さに対して、該一の組刃の前記工具送り方向の後方に位置する他の組刃における前記切れ刃部及び前記ガイド部の高さが大きくされていることを特徴とする。
【０００９】
このブローチでは、被削材の下孔にブローチ本体が挿入され、工具送り方向に送られることで、該下孔に対して、スプライン刃群が溝加工（例えば内歯車形状における歯部の加工）を施した後、続いて丸刃群が内周加工（例えば内歯車形状における小径部の加工）を施すようになっている。
【００１０】
本発明のブローチによれば、丸刃群が、切れ刃部と、該切れ刃部の高さと同一の高さとされたガイド部と、からなる組刃を軸線方向に沿って複数有しているので、これら組刃のうち、一の組刃における切れ刃部が被削材の下孔に切り込んで内周加工した後、該一の組刃のガイド部がこの下孔内周に摺接して、該下孔の中心軸とブローチ本体の軸線とを芯合わせする。そしてこの状態から、前記一の組刃に続く他の組刃（工具送り方向の後方に位置する組刃）の切れ刃部が、被削材の下孔内周に切り込んでいく。このような作用が、各組刃において連続的に得られることとなる。
【００１１】
従って、例えば交互丸刃付きブローチのように複雑な構造を用いることなく、スプライン刃群の後方に、段階的に高さが高くなる複数の組刃を備えた丸刃群を配置した簡単な構成によって、被削材の下孔に加工される溝部と内周部（内歯車形状であれば歯部と小径部）の同軸度を精度よく確保でき、加工品位を高めることができる。
【００１２】
さらに、従来の交互丸刃では対応が難しい、軸線方向に沿う長さが短い被削材に対しても、本発明のブローチの構成によれば、同一種類の切れ刃同士（スプライン刃同士、或いは丸刃同士）を複数刃ずつ同時に下孔に切り込ませることが簡単に行えるので、種々様々な被削材に容易に対応可能である。
【００１３】
また、本発明のブローチにおいて、前記組刃を構成する前記切れ刃部と前記ガイド部とが、互いに離間して形成されていることとしてもよい。
また、本発明のブローチにおいて、前記切れ刃部及び前記ガイド部が、それぞれ丸刃で形成されていることとしてもよい。
【００１４】
組刃の切れ刃部とガイド部とを互いに離間して形成することで、ブローチ本体を作製しやすくなる。さらに、これら切れ刃部及びガイド部を、それぞれ丸刃で形成した場合には、ブローチ本体の製造がより容易となる。すなわち、切れ刃部とガイド部とを各機能によって互いに異なる形状とすることなく、ともに丸刃群を構成する複数の丸刃により形成できることから、製造が簡単である。
【００１５】
また、本発明のブローチにおいて、前記組刃には、前記切れ刃部と前記ガイド部とが１つずつ設けられることとしてもよい。
【００１６】
この場合、簡単な構成によって上述した効果が得られることになる。
【００１７】
また、本発明のブローチにおいて、前記組刃には、１つの前記切れ刃部と、該切れ刃部の前記工具送り方向の後方に配列する複数の前記ガイド部と、が設けられることとしてもよい。
【００１８】
この場合、組刃に設けられた複数のガイド部によって、被削材の下孔とブローチ本体とがより高精度に芯合わせされた状態から、これらガイド部に続く他の組刃の切れ刃部が下孔に切り込まれることになる。よって上述した効果がより顕著に奏功される。
【００１９】
また、本発明のブローチにおいて、前記組刃を構成する前記切れ刃部及び前記ガイド部が、一体に形成されていることとしてもよい。
【００２０】
この場合、組刃の切れ刃部が切削加工した内周に、続くガイド部が安定して摺接しやすくなり、上述した効果がより顕著となる。
【発明の効果】
【００２１】
本発明のブローチによれば、被削材の下孔に加工される内歯車形状等の所定形状において、溝加工及び内周加工の同軸度を精度よく確保して加工品位を高めることができ、かつ、種々様々な被削材に容易に対応可能である。
【図面の簡単な説明】
【００２２】
【図１】本発明の一実施形態に係るブローチを示す側面図である。
【図２】図１のブローチにおけるスプライン刃群の横断面図である。
【図３】図１のブローチにおける丸刃群の横断面図である。
【図４】被削材の下孔を加工して形成された内歯車形状（所定形状）の一部を拡大して説明する図である。
【図５】図１のブローチの切れ刃の要部を拡大して示す縦断面図である。
【図６】丸刃群における組刃の外径（つまり被削材への切り込み量）を説明するグラフである。
【図７】丸刃群の組刃の変形例を示す図である。
【図８】丸刃群の組刃の変形例を示す図である。
【発明を実施するための形態】
【００２３】
以下、本発明の一実施形態に係るブローチ１について、図面を参照して説明する。
本実施形態のブローチ１は、被削材に予め形成された下孔に対して、溝加工及び内周加工をこの順に施して内歯車形状（所定形状）を形成する、後丸刃付きブローチである。
【００２４】
図１に示されるように、ブローチ１は、軸状をなすブローチ本体２と、ブローチ本体２の外周に該ブローチ本体２の軸線Ｏ方向に間隔をあけて配列された複数の切れ刃３と、を備え、不図示の被削材に形成された下孔にブローチ本体２を軸線Ｏ方向に沿う工具送り方向Ｄに向けて挿入するとともに移動させて、複数の切れ刃３により前記下孔を溝加工及び内周加工して、内歯車形状に切削加工する。
ここで、ブローチ本体２は、その軸線Ｏが被削材の下孔の中心軸に対して同軸となるように、該下孔内に挿入される。本明細書では、ブローチ本体２の軸線Ｏ方向のうち、被削材に対してブローチ本体２が送られる向き（図１における左側）を工具送り方向Ｄ（又は工具送り方向Ｄの前方）といい、これとは反対側の向き（図１における右側）を工具送り方向Ｄの後方という。また、軸線Ｏに直交する方向を径方向といい、軸線Ｏ回りに周回する方向を周方向という。
【００２５】
ブローチ本体２は、工具送り方向Ｄの前方の端部に位置する前つかみ部４と、工具送り方向Ｄの後方の端部に位置する後つかみ部５と、前つかみ部４と後つかみ部５との間に配置された複数の切れ刃３と、を備えている。また、ブローチ本体２において、前つかみ部４と複数の切れ刃３との間には前部案内６が配置され、複数の切れ刃３と後つかみ部５との間には後部案内７が配置されている。
【００２６】
前つかみ部４及び後つかみ部５は、不図示のブローチ盤により支持される。図示の例では、前つかみ部４及び後つかみ部５は、ともに丸首形となっている。尚、これらの前つかみ部４及び後つかみ部５は、上記丸首形以外の例えばコッタ形、ＤＩＮ形、台形溝形等であってもよい。
【００２７】
前部案内６及び後部案内７は、ともに丸棒状又は円柱状をなしている。
前部案内６は、被削材に最初に切り込まれる、工具送り方向Ｄの最も前方に位置する切れ刃３（後述するスプライン刃１３）を、下孔に対して径方向に精度よく位置決めし案内する目的で設けられる。
後部案内７は、被削材に最後に切り込まれる、工具送り方向Ｄの最も後方に位置する切れ刃３（後述する丸刃１４）が切削を終えるまで、ブローチ本体２と被削材とを径方向に位置決めする目的で設けられる。
【００２８】
切れ刃３は、ブローチ本体２の外周に複数突設されている。図５に示されるように、各切れ刃３において、工具送り方向Ｄの前方を向く面は、すくい面８とされており、径方向の外側を向く面は、逃げ面９とされている。
図５に示される縦断面視で、すくい面８は、径方向外側（図５における上側）へ向かうに従い漸次工具送り方向Ｄの前方に向かって傾斜して延びており、逃げ面９は、工具送り方向Ｄの後方に向かうに従い漸次径方向内側（図５における下側）に向かって傾斜して延びている。また、切れ刃３におけるすくい面８と逃げ面９との交差稜線が、被削材に切り込む刃先１０となっている。
【００２９】
図１に示されるように、複数の切れ刃３には、被削材の下孔に溝加工を施すスプライン刃群１１と、スプライン刃群１１よりも工具送り方向Ｄの後方に配置され、前記下孔に内周加工を施す丸刃群１２と、が備えられている。
【００３０】
スプライン刃群１１は、ブローチ本体２の外周に軸線Ｏ方向に間隔をあけて配列された複数のスプライン刃１３を備えている。図２に示される横断面視で、スプライン刃１３は、全体として歯車形状をなしており、ブローチ本体２の外周から径方向外側に向けて突出するとともに周方向に間隔をあけて配列された複数の刃部１３ａを有している。これにより、ブローチ本体２の外周には、軸線Ｏ方向に沿うように配列された複数の刃部１３ａからなる列が、周方向に間隔をあけて複数形成されている。スプライン刃１３においては、各刃部１３ａに対して、すくい面８、逃げ面９及び刃先１０が形成されており、周方向に隣り合う刃部１３ａ同士の間に位置する凹状の部分は、切削に特に寄与しない刃底部となっている。
【００３１】
スプライン刃群１１において軸線Ｏ方向に隣り合うスプライン刃１３同士のうち、工具送り方向Ｄの後方に位置するスプライン刃１３は、その工具送り方向Ｄの前方に位置するスプライン刃１３に対して、刃部１３ａの径方向外側へ向けた突出量が、同等か又は大きくされている。また、後方に位置するスプライン刃１３は、その前方に位置するスプライン刃１３に対して、刃部１３ａの周方向に沿う幅が、同等か又は小さくされている。尚、後方に位置するスプライン刃１３は、その前方に位置するスプライン刃１３に対して、刃部１３ａの周方向に沿う幅が大きくされていてもよい。すなわち、後方に位置するスプライン刃１３は、その前方に位置するスプライン刃１３が切削していない箇所を切削可能に形成されている。
【００３２】
図４において、本実施形態のブローチ１により被削材Ｗの下孔に加工される内歯車形状のうち、スプライン刃群１１は、符号Ａで示される凹状の歯部（歯溝）を切削する。歯部Ａは、被削材の下孔の内周から径方向外側へ向けて窪まされるとともに、周方向に間隔をあけて複数形成される。歯部Ａには、内歯車形状において最外周をなす大径部ａ１と、最内周をなす小径部Ｂ及び前記大径部ａ１の間に位置して凹曲面状をなす一対の歯面ａ２と、が含まれる。
【００３３】
図１において、丸刃群１２は、ブローチ本体２の外周に軸線Ｏ方向に間隔をあけて配列された複数の丸刃１４を備えている。図３に示される縦断面視で、丸刃１４は、ブローチ本体２の外周から径方向外側に向けて突出するとともに周方向に沿って延びる円環形状をなしている。
【００３４】
図４において、丸刃群１２は、被削材Ｗの下孔に加工される内歯車形状のうち、符号Ｂで示される凹曲面状の小径部（内周部）を切削する。図４に示される正面視で、小径部Ｂは円弧状をなしており、周方向に間隔をあけて複数形成される。これらの小径部Ｂは、すべて同一の仮想円上に配置される。
【００３５】
そして、図５において、丸刃群１２には、被削材Ｗの下孔の内周に切り込む切れ刃部１７と、切れ刃部１７の工具送り方向Ｄの後方に隣り合って配置され、該切れ刃部１７の径方向の高さと同一の前記高さとされたガイド部１８と、からなる組刃１５Ａ、１５Ｂ、…が軸線Ｏ方向に沿って複数設けられている。
ここで、本明細書でいう「組刃１５における切れ刃部１７の高さとガイド部１８の高さが同一」とは、切れ刃部１７が切削した下孔の内周に対して、この切れ刃部１７に続くガイド部１８が摺接可能である状態を表しており、従って、切削加工後のスプリングバック等を鑑みて、切れ刃部１７の高さに対してガイド部１８の高さが極僅かに小さくされた状態をも含む概念である。
【００３６】
また、軸線Ｏ方向に隣り合う組刃１５Ａ、１５Ｂ同士のうち、工具送り方向Ｄの前方に位置する一の組刃１５Ａにおける切れ刃部１７及びガイド部１８の高さＨａに対して、該一の組刃１５Ａの工具送り方向Ｄの後方に位置する他の組刃１５Ｂにおける切れ刃部１７及びガイド部１８の高さＨｂが大きくされている。尚、図示の例では、切れ刃部１７及びガイド部１８の高さＨａ、Ｈｂが、軸線Ｏから刃先１０までの距離（半径）により表されているが、高さＨａ、Ｈｂは、切れ刃部１７及びガイド部１８の径方向の位置を特定できればよいことから、前記半径に限定されるものではない。
【００３７】
本実施形態では、各組刃１５（１５Ａ、１５Ｂ、…）を構成する切れ刃部１７とガイド部１８とが、軸線Ｏ方向に互いに離間して（つまり別体として）形成されており、すべての切れ刃部１７及びガイド部１８が、丸刃１４によりそれぞれ形成されている。すなわち、一の組刃１５Ａにおける切れ刃部１７とガイド部１８とは、互いに同一の高さＨａとされた複数の丸刃１４が軸線Ｏ方向に間隔をあけて配列されることにより形成されており、他の組刃１５Ｂにおける切れ刃部１７とガイド部１８とは、互いに同一の高さＨｂとされた複数の丸刃１４が軸線Ｏ方向に間隔をあけて配列されることにより形成されている。
【００３８】
具体的に、各組刃１５を構成する複数の丸刃１４のうち、最も工具送り方向Ｄの前方に位置する丸刃１４が切れ刃部１７とされ、該丸刃１４以外の丸刃１４がガイド部１８とされている。
尚、本実施形態においては、各組刃１５には、切れ刃部１７とガイド部１８とが１つずつ設けられている（つまり同一高さの丸刃１４が２つ設けられている）。
【００３９】
このように、軸線Ｏ方向に隣り合う組刃１５Ａ、１５Ｂのうち、一の組刃１５Ａの複数の丸刃１４の高さＨａに対して、他の組刃１５Ｂの複数の丸刃１４の高さＨｂが高くなっていることで、各組刃１５Ａ、１５Ｂ、…において切れ刃部１７とされた丸刃１４が被削材の下孔の内周に切り込んでいき、ガイド部１８とされた丸刃１４が切削直後の内周に摺接しつつ該下孔の中心軸とブローチ本体２の軸線Ｏとを芯合わせする。
【００４０】
具体的に本実施形態では、図６に示されるように、丸刃群１２の複数の丸刃１４のうち、最も工具送り方向Ｄの前方に位置する丸刃１４を丸刃Ｎｏ．１とした場合に、該丸刃Ｎｏ．１から工具送り方向Ｄの後方へ向かって丸刃Ｎｏ．２、丸刃Ｎｏ．３、丸刃Ｎｏ．４、…と進むに従い、奇数刃（丸刃Ｎｏ．３、丸刃Ｎｏ．５、丸刃Ｎｏ．７）の各丸刃１４で径方向の高さが段階的に大きくされている。
尚、奇数刃とされた複数の丸刃１４のうち、丸刃Ｎｏ．１とされた丸刃１４の高さについては、下孔の内周に切り込まれることなく摺接するように設定してもよい。
【００４１】
また本実施形態では、図５において、組刃１５の切れ刃部１７の軸線Ｏ方向に沿う長さ（ピッチ）Ｐ１と、該組刃１５のガイド部１８の軸線Ｏ方向に沿う長さＰ２とが、互いに同一とされている。
【００４２】
尚、ガイド部１８とされた丸刃１４については、被削材の下孔に切り込む目的で設けられたものではないことから、上述したすくい面８のようにポジのすくい角を付与する必要はなく、よって当該丸刃１４のすくい角については、ネガ（０°以下）としても構わない。また、ガイド部１８の丸刃１４の逃げ角についても、ネガ（０°以下）として構わない。このように、ガイド部１８とされた丸刃１４が下孔の内周に切り込まれることが抑制された構成である場合は、該ガイド部１８が下孔の内周に対して確実に摺接しやすくなって、後続の切削用の丸刃１４（切れ刃部１７）に対するガイド機能をより効果的に発揮することができる。
【００４３】
以上説明した本実施形態のブローチ１では、被削材の下孔にブローチ本体２が挿入され、工具送り方向Ｄに送られることで、該下孔に対して、スプライン刃群１１が溝加工（内歯車形状の歯部Ａの加工）を施した後、続いて丸刃群１２が内周加工（内歯車形状の小径部Ｂの加工）を施すようになっている。
【００４４】
本実施形態のブローチ１によれば、丸刃群１２が、切れ刃部１７と、該切れ刃部１７の高さと同一の高さとされたガイド部１８と、からなる組刃１５Ａ、１５Ｂ、…を軸線Ｏ方向に沿って複数有しているので、これら組刃１５Ａ、１５Ｂ、…のうち、一の組刃１５Ａにおける切れ刃部１７が被削材Ｗの下孔に切り込んで内周加工した後、該一の組刃１５Ａのガイド部１８がこの下孔内周に摺接して、該下孔の中心軸とブローチ本体２の軸線Ｏとを芯合わせする。そしてこの状態から、前記一の組刃１５Ａに続く他の組刃（工具送り方向Ｄの後方に位置する組刃）１５Ｂの切れ刃部１７が、被削材Ｗの下孔内周に切り込んでいく。このような作用が、各組刃１５において連続的に得られることとなる。
【００４５】
従って、例えば交互丸刃付きブローチのように複雑な構造を用いることなく、スプライン刃群１１の後方に、段階的に高さが高くなる複数の組刃１５を備えた丸刃群１２を配置した簡単な構成によって、被削材Ｗの下孔に加工される内歯車形状の歯部Ａと小径部Ｂの同軸度を精度よく確保でき、加工品位を高めることができる。
【００４６】
さらに、従来の交互丸刃では対応が難しい、軸線Ｏ方向に沿う長さが短い被削材Ｗに対しても、本実施形態のブローチ１の構成によれば、同一種類の切れ刃３同士（スプライン刃１３同士、或いは丸刃１４同士）を複数刃ずつ同時に下孔に切り込ませることが簡単に行えるので、種々様々な被削材Ｗに容易に対応可能である。
【００４７】
また、本実施形態では、組刃１５を構成する切れ刃部１７とガイド部１８とが、互いに離間して形成されており、またこれらの切れ刃部１７及びガイド部１８が、それぞれ丸刃１４で形成されているので、下記の効果を奏功する。
すなわち、組刃１５の切れ刃部１７とガイド部１８とを互いに離間して形成することで、ブローチ本体２を作製しやすくなる。さらに、これら切れ刃部１７及びガイド部１８をそれぞれ丸刃１４で形成することで、ブローチ本体２の製造がより容易となる。すなわち、切れ刃部１７とガイド部１８とを各機能によって互いに異なる形状とすることなく、ともに丸刃群１２を構成する複数の丸刃１４により形成できることから、製造が簡単である。
【００４８】
また本実施形態において、組刃１５には、切れ刃部１７とガイド部１８とが１つずつ設けられており、このような簡単な構成によって、上述した効果が得られることになる。
【００４９】
尚、本発明は前述の実施形態に限定されるものではなく、本発明の趣旨を逸脱しない範囲において種々の変更を加えることが可能である。
【００５０】
例えば、図５において、組刃１５の切れ刃部１７のピッチＰ１とガイド部１８のピッチＰ２とが互いに同一であるとしたが、ピッチＰ１とピッチＰ２とは互いに異なっていてもよい。具体的に、ガイド部１８とされる丸刃１４は切削に供される切れ刃３ではないことから、ガイド部１８の工具送り方向Ｄの前方に位置して切屑収容部となる刃溝２０の軸線Ｏ方向に沿う長さを、切れ刃部１７の工具送り方向Ｄの前方に位置する刃溝１９の軸線Ｏ方向に沿う長さより短くしてよい。これにより、ピッチＰ２に対してピッチＰ１が短くなるとともに、各組刃１５の軸線Ｏ方向に沿う全長が短縮されて、さらに種々様々な被削材Ｗの形状（特に厚さが薄いもの）に対応可能である。
【００５１】
また、前述の実施形態では、組刃１５には、切れ刃部１７とガイド部１８とが１つずつ設けられることとしたが、これに限定されるものではない。
ここで、図７は、組刃の変形例を示している。
この変形例では、丸刃群１２には、軸線Ｏ方向に沿って複数の組刃２５Ａ、２５Ｂ、…が設けられており、各組刃２５には、１つの切れ刃部１７と、該切れ刃部１７の工具送り方向Ｄの後方に位置し軸線Ｏに沿って配列する複数のガイド部１８と、が設けられている。この場合、一の組刃２５Ａに設けられた複数のガイド部１８によって、被削材Ｗの下孔とブローチ本体２とがより高精度に芯合わせされた状態から、これらガイド部１８に続く他の組刃２５Ｂの切れ刃部１７が下孔に切り込まれることになる。よって上述した効果がより顕著に奏功される。
尚、図７の変形例のように、１つの組刃２５に複数のガイド部１８が設けられる場合には、該組刃２５の軸線Ｏ方向に沿う全長が長くなるとともに切れ刃部１７の総数が少なくなることが考えられ、この場合、各切れ刃部１７の切り込み量が増大するので、下孔の内径を予め大きく設定しておき、各切れ刃部１７の切り込み量を抑えることが好ましい。
【００５２】
また、前述の実施形態では、組刃１５には、切れ刃部１７とガイド部１８とが別体に設けられることとしたが、これに限定されるものではない。
ここで、図８は、組刃の変形例を示している。
この変形例では、丸刃群１２には、軸線Ｏ方向に沿って複数の組刃３５Ａ、３５Ｂ、…が設けられており、各組刃３５を構成する切れ刃部１７及びガイド部１８が、一体に形成されている。具体的に、組刃３５は、上述した丸刃１４よりも軸線Ｏ方向に沿う長さが大きく設定された単一の丸刃からなり、各組刃３５の工具送り方向Ｄの前端部が切れ刃部１７とされ、該前端部の後方に位置する部位がガイド部１８となっている。この場合、組刃３５の切れ刃部１７が切削加工した内周に、続くガイド部１８が安定して摺接しやすくなり、上述した効果がより顕著となる。
【００５３】
また、前述の実施形態では、ブローチ１が被削材の下孔を切削加工して内歯車形状を形成すると説明したが、これに限定されるものではない。すなわち、ブローチ１は、被削材の下孔を溝加工及び内周加工して所定形状に切削加工するものであればよく、前述した内歯車形状以外の、例えばセレーション形状やキー溝形状に切削加工するものであってもよい。
【００５４】
その他、本発明の趣旨から逸脱しない範囲において、前述の実施形態、変形例及び尚書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００５５】
１  ブローチ
２  ブローチ本体
３  切れ刃
１１  スプライン刃群
１２  丸刃群
１４  丸刃
１５、２５、３５  組刃
１５Ａ、２５Ａ、３５Ａ  一の組刃
１５Ｂ、２５Ｂ、３５Ｂ  他の組刃
１７  切れ刃部
１８  ガイド部
Ｄ  工具送り方向
Ｈａ  一の組刃の切れ刃部及びガイド部の高さ
Ｈｂ  他の組刃の切れ刃部及びガイド部の高さ
Ｏ  ブローチ本体の軸線
Ｗ  被削材
【図１】
2014140949.tif 000003
【図２】
2014140949.tif 000004
【図３】
2014140949.tif 000005
【図４】
2014140949.tif 000006
【図５】
2014140949.tif 000007
【図６】
2014140949.tif 000008
【図７】
2014140949.tif 000009
【図８】
2014140949.tif 000010